(57)【要約】      （修正有）【課題】身体の不自由な老人や身体障害者を含む、あらゆる人が安心して間口（出入口）を通過出来るように、引戸がゆっくりとほぼ一定速度で閉じる引戸装置を提供する。【解決手段】引戸１の上端に吊車３を取着し、吊車を介して上レール２に吊設されて開閉する引戸装置において、手で押し開いた引戸が独りでに閉じる自閉手段と、押し開かれた引戸が、閉じ始めからほぼ一定速度で走行して閉鎖する制動手段を備え、自閉手段６として、ゼンマイバネのバネ力によってローラから延びたワイヤーを巻き戻すことで引戸を引張るようにし、制動手段として、上レールに沿って戸先まで延びてラック４を沿設し、引戸の上端側にロータリーダンパー５を取付けると共にロータリーダンパーの軸に取着した歯車をラックに噛み合わせる。【選択図】図１
0003196429.tif 000002
【実用新案登録請求の範囲】
【請求項１】
引戸の上端には吊車を取着し、該吊車を介して上レールに吊設されて開閉する引戸装置において、手で押し開いた引戸が独りでに閉じることが出来る自閉手段を備え、そして、押し開かれた引戸が閉じる場合には、閉じ始めからほぼ一定速度で走行して閉鎖することが出来る制動手段を備えたことを特徴とする一定速度で引戸が閉じる引戸装置。
【請求項２】
上記自閉手段として、ゼンマイバネのバネ力によってローラから延びたワイヤーを巻き戻すことで引戸を引張るようにした請求項１記載の一定速度で引戸が閉じる引戸装置。
【請求項３】
上記自閉手段として、上レールを戸先側へ傾斜した請求項１記載の一定速度で引戸が閉じる引戸装置。
【請求項４】
上記制動手段として、上レールに沿ってラックを沿設し、引戸の上端側にはロータリーダンパーを取付けると共に該ロータリーダンパーの軸に取着した歯車を上記ラックに噛み合わせ、そして該ラックは引戸を全開した状態で少なくとも戸先まで延びている請求項１、請求項２、又は請求項３記載の一定速度で引戸が閉じる引戸装置。
【請求項５】
上記制動手段として、上レールに沿って摩擦板を延ばし、引戸の上端側にはスライダーを取付けると共に該スライダーを摩擦板に接触させ、そして該ラックは引戸を全開した状態で少なくとも戸先まで延びている請求項１、請求項２、又は請求項３記載の一定速度で引戸が閉じる引戸装置。
【請求項６】
上記制動手段として、引戸の吊車にはロータリーダンパーを取付けると共に該ロータリーダンパーの軸に取着した歯車を吊車の車輪と同心を成して取付けた歯車と噛み合わせた請求項１、請求項２、又は請求項３記載の一定速度で引戸が閉じる引戸装置。
【請求項７】
上記制動手段に、温度変化に伴う速度調整機構を取付けた請求項１、請求項２、請求項３、請求項４、請求項５、又は請求項６記載の一定速度で引戸が閉じる引戸装置。
【考案の詳細な説明】
【技術分野】
【０００１】
本考案は、身体の不自由な老人や身体障害者はもちろんのこと、健常者であっても引戸を開いて間口（出入口）を安心して通過することが出来る引戸装置に関するものである。
【背景技術】
【０００２】
図５は従来から使用している引戸装置の外観図であり、引戸（イ）は上レール（ロ）に吊設されて走行し、出入口（間口）を開閉することが出来る。そして引戸（イ）が開口した場合に納まる戸袋（ハ）を有し、また上レール（ロ）や該上レール（ロ）を走行する吊車などをカバーする為の点検パネルが入口から戸袋の上部にかけて取付けられている（同図はこの点検パネルを外した状態である）。同図に示す引戸装置は手で押し開いた引戸（イ）が独りで閉じるようになっているが、その為にゼンマイバネを内蔵した自閉装置（ニ）を備えている。
【０００３】
手で押し開かれた引戸（イ）と共に巻き戻されたゼンマイバネに引張られて該引戸（イ）は閉じることが出来る。この際、自閉装置（ニ）に引かれることで引戸（イ）が衝撃を伴って閉じることがないように、制動装置（ホ）を取付けている。すなわち、制動装置（ホ）の延びたピストンロッド（ヘ）の先端に引戸（イ）が当って静かに閉じることが出来る。さらに、全開した引戸（イ）を一時的に停止する為に、吊車に係止する全開ストッパー（ト）を取着している。
【０００４】
一方、半自動式引戸装置では、上記ゼンマイバネを内蔵した自閉装置（ニ）を用いることなく上レール（ロ）を僅かに傾斜し、該上レール（ロ）に吊設される引戸（イ）が自重によって独りで閉鎖するように構成することも出来、最近ではこの型式の半自動式引戸装置が多用されている。そして、該引戸（イ）が閉じる際の衝撃を緩和する為に制動装置が取付けられ、また開放した際には独りで閉じないように全開ストッパーを備えている。
【０００５】
このように、手で押し開いた引戸は自動的に閉じることが出来、しかも閉じる際に衝撃を伴わないように制動装置が備わっている。この制動装置はエアシリンダーで構成した一種のダンパーであるが、オイル回転ポンプを用いた制動装置も知られている。例えば、実公平７−４４７０７号に係る「自閉引き戸の制動装置」は、自閉引き戸の引き戸本体の上部に設けられ、レールに転動自在に載置される走行車輪と、この走行車輪に隣接して設けられ、走行車輪と歯車列を介して連繋された回転ポンプを有す制動体と、制動体に形成された回転ポンプが組み込まれたエンドレス状の密閉流路と、エンドレス状の密閉流路を分流したバイパス流路と、バイパス流路に設けられ、オイルの流れを引き戸本体の閉止方向への移動時に規制する逆止弁と、前記回転ポンプと相対して密閉流路に設けられた流量調整弁とから成っている。
【０００６】
すなわち、回転ポンプには主歯車が取付けられ、レースを転動する走行車輪には従歯車が同軸を成して固定され、上記主歯車と従歯車は互いに噛み合っている。そこで、引き戸が閉じる方向へ走行する場合、閉鎖手前の所定の位置に取付けた歯車列（ラック）に従歯車が噛み合って回転するならば主歯車も回転し、該主歯車の回転に伴って回転ポンプが作動して引き戸の閉鎖速度が抑制される。すなわち、衝撃を伴うことなくゆっくりと閉じることが出来る。自閉引き戸の制動装置の構造は違っているが、上記図５の引戸装置に取付けているエアシリンダー式ダンパーと機能上は同じである。
【０００７】
ところで、引戸を押し開けて間口（出入口）を通過する場合、開いた引戸は自閉装置によって閉じ、又は上レールが傾斜している場合には引戸の自重にて閉じる。この際、身体の不自由な老人又は身体障害者、さらには妊婦や子供連れの女性のように歩行速度が比較的遅い人は間口を通過する場合に時間がかかり、一旦押し開いた引戸が閉じる方向へ速い速度で接近することで恐怖感を覚える。時には閉じる引戸に衝突して、特に老人や身体障害者であれば転倒する場合もある。
【０００８】
勿論、押し開いた引戸が閉じないようにストッパーに係止することは出来るが、このストッパーは全開した場合にのみ停止することが出来、全開しない限り引戸は直ちに閉じる方向へ動き出す。特に身体が不自由な人にとって引戸が全開するまで押し開くにはある程度の力を必要とする為に、力のない人には容易でなく、しかも押し開いて全開した場合、該引戸をストッパーから解除して閉じるための力においても同様である。
【特許文献１】実公平７−４４７０７号に係る「自閉引き戸の制動装置」
【考案の開示】
【考案が解決しようとする課題】
【０００９】
このように、従来の引戸装置には上記のごとき問題がある。本考案が解決しようとする課題はこの問題点であり、身体の不自由な老人や身体障害者はもちろんのこと、あらゆる人が安心して間口（出入口）を通過することが出来るように、引戸がゆっくりとほぼ一定速度で閉じるように制御した引戸装置を提供する。
【課題を解決するための手段】
【００１０】
本考案に係る引戸装置は手で引戸を押し開き、独りで閉じることが出来る半自動式引戸装置である。引戸は間口（出入口）の上部に取付けた上レールに吊設されるが、引戸上端に取着した吊車の車輪が上レールに載って転動することによって該引戸は開閉することが出来る。ここで、開いた引戸が独りでに閉じる自閉手段としては、上レールを傾斜する場合、又はゼンマイバネによって引戸を引張ることも出来る。
【００１１】
そして、本考案の引戸装置は開いた状態から引戸は閉じるが、その閉鎖速度は遅くてほぼ一定になるように制御している。すなわち、引戸の閉鎖速度が低速で一定になる制動手段を備えている。しかし、引戸は閉じる寸前にて閉鎖速度を抑えて閉じた際の衝撃を緩和するのではなく、閉じ始めから低速でゆっくりと閉鎖し、ほぼ一定速度になるように制動される。
【００１２】
引戸が傾斜した上レールを走行して閉じる場合、その速度は次第に速くなり、またゼンマイバネによって引戸を引く場合も、閉鎖速度は次第に速くなる。本考案はこのような自閉手段に左右されることなく、閉じ始めから一定速度へ走行すると共にその速度を抑えることが出来るように構成し、勿論、閉鎖時の衝撃を緩和している。その為に、制動手段は引戸が全開した状態から閉鎖状態まで作動するように長く成っている。
【考案の効果】
【００１３】
本考案の引戸はその閉鎖速度が遅いために、体の不自由な老人や身体障害者、さらには妊婦や子供連れの女性、その他あらゆる人であっても、手で押し開くことで開口した間口（出入口）を安心して通過することが出来る。また、間口（出入口）を完全に通過することが出来なくて、間口通過中に仮に引戸が身体に衝突したとしても、その閉鎖速度は低速であるために身体が該引戸によって押し倒されることはない。そして、引戸がゆっくり閉鎖することで、人が間口（出入口）を出入する為に時間がかかっても引戸の閉鎖速度に対して恐怖感を持つことなく出入することが出来る。すなわち、身体の不自由な老人や身体障害者に限らず、あらゆる人が便利かつ快適に使用出来るため、ユニバーサルデザイン性能を高めることが可能となる。
【図面の簡単な説明】
【００１４】
【図１】本考案に係る引戸装置で、自閉手段と制動手段を備えた実施例。
【図２】ラックとロータリーダンパーを組み合わせた制動手段の具体例。
【図３】本考案の引戸装置の横断面図。
【図４】本考案の引戸装置の縦断面図。
【図５】従来の引戸装置。
【考案を実施するための形態】
【００１５】
図１は本考案に係る引戸装置を示す実施例である。同図の１は引戸、２は上レール、３は吊車、４はラック、５はロータリーダンパー、６は自閉装置をそれぞれ表わしている。引戸１の上端両側には吊車３，３が取着され、該吊車３，３に軸支した車輪７，７は上記上レール２に載って転動することが出来、引戸１は間口を開閉する。
【００１６】
上記自閉装置６はゼンマイバネを収容し、該ゼンマイバネによってローラは回転し、ローラに巻き付いたワイヤーを延ばして先端は吊車３に連結している。従って、手で押し開いた引戸１はゼンマイバネによって引かれて閉じることが出来る。ところで、ゼンマイバネによって引かれた引戸１は、その速度が次第に速くなり、歩行動作がゆっくりした人が間口（出入口）を通過する前に引戸１が閉じてしまう。
【００１７】
そこで、本考案では制動手段を備えている。すなわち、該制動手段はゼンマイバネの引っ張り力に左右されることなく、引戸１が低速でしかもほぼ一定速度で走行して閉じることが出来るように制御することが出来る。引戸１が吊設される上レール２の上方に並行してラック４が沿設され、そして吊車３にはロータリーダンパー５を取着し、ロータリーダンパー５の歯車が上記ラック４に噛み合っている。該ロータリーダンパー５の歯車がゆっくり回転することで引戸１の閉鎖速度は低速となり、その為に身体が不自由な老人や身体障害者さらにその他の人にとって、間口８を安心して通過することが出来る。
【００１８】
図２はロータリーダンパー５の歯車９がラック４と噛み合っている場合を示している。該ロータリーダンパー５の具体的な構造は限定しないが、本体ケース１０の内部にローターが収容され、そして本体ケース１０とローターの隙間にはシリコンオイルを介在している。ローターの軸には上記歯車９が取付けられているが、シリコンオイルの粘性抵抗により発生する制動力（ブレーキ力）を利用して回転速度を抑えることが出来る。また、使用環境による温度変化に伴ってシリコンオイルの粘性抵抗が変化した場合であっても制動力が変わらないように調整可能としている。例えば、本体ケース１０とローターの隙間を調整可能な構造とすることが出来る。勿論、実公平７−４４７０７号に係る「自閉引き戸の制動装置」に備わっている回転ポンプを利用することも可能である。
【００１９】
ところで、本考案の引戸装置に装着している制動手段は引戸が閉じる際に戸当たりに当たって停止する際の衝撃を抑制することを目的とするダンパーではない。押し開いた引戸１が自閉装置によって加速して速くならないように、すなわち、押し開かれたその位置からゆっくり、しかもほぼ一定速度で閉鎖することが出来るようにしている。その為に、ロータリーダンパー５の歯車９が噛み合うラック４は長くなり、引戸１が全開した状態で該歯車９が噛み合うように戸先側の吊車３まで延びている。ただし、ロータリーダンパー５を戸先上端に取着することも出来、この場合には少なくとも戸先までラック４が延びている。
【００２０】
また、別の制動手段として上レール２に沿って摩擦板を沿設し、引戸１に取付けたスライダーを該摩擦板に接触して移動するようにするならば、引戸１の閉鎖速度を抑制することが出来る。そして、スライダーが摩擦板に接触する接触圧を調整して、閉鎖速度をコントロールするように構成することは可能である。
【００２１】
図３は引戸装置の横断面図、図４は引戸装置の間口部での縦断面図をそれぞれ示している。引戸装置としての基本構造は従来の引戸装置と共通している。引戸１が後退して間口８が開口する場合には該引戸１は戸袋１１内に収容され、前進して間口８が閉じる場合には引戸１は戸袋１１から出て戸先１２は戸当たり１３に当接する。引戸１はロータリーダンパー５の歯車９がラック４と噛み合ってゆっくり閉鎖する為に、従来のようなエアダンパーを設ける必要はなく、戸先１２は戸当たり１３に衝撃を伴うことなく当たり、引戸１は静かに閉じることが出来る。
【００２２】
図４に示しているように、引戸１の上端に吊車３，３を取着し、吊車３の車輪７は上レール２に載って転動することが出来る。該引戸１にはハンドル１４が取付けられ、このハンドル１４に手を掛けて該引戸１を押し開くことが出来る。この際、引戸１を押し開く場合には、ロータリーダンパー５が作動しないように、例えば、ワンウエイクラッチを組み込むことが出来る。引戸１の下端にはガイド溝１５が沿設され、床面１６から起立したガイド１７がガイド溝１５に嵌ることで、引戸１は横揺れすることなく走行することが出来る。
【００２３】
図３、図４に示す引戸装置の場合、該引戸１は間口を開口するならば戸袋１１内に収容されるが、該引戸１を戸袋１１の外に取付ける形態とすることも出来、引戸装置の外観形態は問わない。しかし、引戸はロータリーダンパーの歯車とラックとが噛み合ってゆっくり閉鎖するようにしている。
【００２４】
ところで、図１に示す引戸装置の場合、上レール２に平行してラック４を沿設し、このラック４に噛み合う歯車９を備えたロータリーダンパー５を取付けているが、該ラック４を無くした構造とすることも可能である。この場合には、引戸１の吊車３の車輪に別な歯車を同心を成して組み合わせ、そして、ロータリーダンパー５を吊車３に取着すると共に歯車９を車輪に取付けた歯車と噛み合わせて構成することが出来る。従って、吊車３の車輪の回転に直接ブレーキが作用して引戸１の閉鎖速度は抑えられる。
【符号の説明】
【００２５】
１   引戸
２   上レール
３   吊車
４   ラック
５   ロータリーダンパー
６   自閉装置
７   車輪
８   間口
９   歯車
10   本体ケース
11   戸袋
12   戸先
13   戸当り
14   ハンドル
15   ガイド溝
16   床面
17   ガイド
【図１】
0003196429.tif 000003
【図２】
0003196429.tif 000004
【図３】
0003196429.tif 000005
【図４】
0003196429.tif 000006
【図５】
0003196429.tif 000007
【手続補正書】
【提出日】平成27年1月8日(2015.1.8)
【手続補正１】
【補正対象書類名】実用新案登録請求の範囲
【補正対象項目名】全文
【補正方法】変更
【補正の内容】
【実用新案登録請求の範囲】
【請求項１】
引戸の上端には吊車を取着し、該吊車を介して上レールに吊設されて開閉する引戸装置において、手で押し開いた引戸が独りでに閉じることが出来る自閉手段を備え、そして、押し開かれた引戸が閉じる場合には、閉じ始めからほぼ一定速度で走行して閉鎖することが出来る制動手段を備えたたもので、上記自閉手段として、ゼンマイバネのバネ力によってローラから延びたワイヤーを巻き戻すことで引戸を引張るようにし、上記制動手段として、上レールに沿ってラックを沿設し、引戸の上端側にはロータリーダンパーを取付けると共に該ロータリーダンパーの軸に取着した歯車を上記ラックに噛み合わせ、そして該ラックは引戸を全開した状態で少なくとも戸先まで延びている
ことを特徴とする一定速度で引戸が閉じる引戸装置。
【請求項２】
上記自閉手段の別形態として、上レールを戸先側へ傾斜した請求項１記載の一定速度で引戸が閉じる引戸装置。
【請求項３】
上記制動手段の別形態として、上レールに沿って摩擦板を延ばし、引戸の上端側にはスライダーを取付けると共に該スライダーを摩擦板に接触させ、そして該摩擦板は引戸を全開した状態で少なくとも戸先まで延びている請求項１、又は請求項２記載の一定速度で引戸が閉じる引戸装置。
【請求項４】
上記制動手段の別形態として、引戸の吊車にはロータリーダンパーを取付けると共に該ロータリーダンパーの軸に取着した歯車を吊車の車輪と同心を成して取付けた歯車と噛み合わせた請求項１、又は請求項２記載の一定速度で引戸が閉じる引戸装置。
【請求項５】
上記制動手段に、温度変化に伴う速度調整機構を取付けた請求項１、請求項２、請求項３、又は請求項４記載の一定速度で引戸が閉じる引戸装置。